(57)【特許請求の範囲】
【請求項１】
送風ファン（１２）と電気品箱（４０）とが収容されるケーシング（１１）を備え、前記送風ファン（１２）によって空気が流通する流通口（２６Ａ，２６Ｂ）を前記ケーシング（１１）の底面に形成する第１の態様と、前記流通口（２６Ａ，２６Ｂ）を前記ケーシング（１１）の一側面に形成する第２の態様とを選択可能な室内機であって、
前記電気品箱（４０）は、点検口（４８）が形成された第１の側面（４１）を備え、かつ、前記第１の態様においては前記点検口（４８）を前記ケーシング（１１）の内側に向け、前記第２の態様においては前記点検口（４８）を前記ケーシング（１１）の外側に向けた状態で前記ケーシング（１１）内に配置され、
前記第１の側面（４１）に隣接し互いに対向する前記電気品箱（４０）の第２及び第３の側面（４２，４３）には、それぞれ外部配線（ｋ，ｊ）を前記電気品箱（４０）内に引き込むための第１の引込口（６１，６２）が形成され、
前記ケーシング（１１）の他の側面には、前記第２の態様において前記点検口（４８）に対向する開口（３３）と、この開口（３３）の両側部に配置され、前記外部配線（ｋ，ｊ）を前記ケーシング（１１）内に引き込むための第２の引込口（３５Ａ，３５Ｂ）とが形成されている、空気調和装置の室内機。
【請求項２】
前記第２及び第３の側面（４２，４３）に形成された各第１の引込口（６１，６２）には、強電配線（ｋ）と弱電配線（ｊ）とがそれぞれ個別に引き込まれる、請求項１に記載の空気調和装置の室内機。
【請求項３】
前記電気品箱（４０）内に、２つの端子台（５５，５６）が前記第２の側面（４２）と前記第３の側面（４３）との対向方向に並べて配置され、
前記第２及び第３の側面（４２，４３）に形成された２つの前記第１の引込口（６１，６２）には、各端子台（５５，５６）に接続される外部配線（ｋ，ｊ）がそれぞれ個別に引き込まれる、請求項１又は２に記載の空気調和装置の室内機。
【請求項４】
前記電気品箱（４０）の前記第２及び第３の側面（４２，４３）には、それぞれ前記第１の引込口（６１，６２）側から前記第１の側面（４１）へ向けて延び、前記外部配線（ｋ，ｊ）を誘導する第１の誘導路（６４ａ，６５ａ）と、前記第１の引込口（６１，６２）側から前記第１の側面（４１）に対向する第４の側面（４４）へ向けて延び、前記外部配線（ｋ，ｊ）を誘導する第２の誘導路（６４ｂ，６５ｂ）とが形成されている、請求項１〜３のいずれか１項に記載の空気調和装置の室内機。
【請求項５】
前記ケーシング（１１）の内部には、前記電気品箱（４０）を係合させて支持するための支持部（６７）が形成され、前記電気品箱（４０）には、前記第１の態様において前記支持部（６７）に係合する第１の係合部（６６ｂ）と、前記第２の態様において前記支持部（６７）に係合する第２の係合部（６６ａ）とが設けられている、請求項１〜４のいずれか１項に記載の空気調和装置の室内機。
【請求項６】
前記電気品箱（４０）の底壁（４６）上には、前記外部配線（ｋ，ｊ）を接続する端子台（５５，５６）が設けられ、前記底壁（４６）が、一端側を支点として下方に揺動可能に設けられている、請求項１〜５のいずれか１項に記載の空気調和装置の室内機。
【発明の詳細な説明】
【技術分野】
【０００１】
本発明は空気調和装置の室内機に関し、特に電気品箱への電気配線の引き込みを容易にすることができる空気調和装置の室内機に関する。
【背景技術】
【０００２】
ビル等の室内の冷暖房に使用される空気調和装置として、天井埋込ダクト型の室内機を備えたものが知られている（例えば、特許文献１参照）。
天井埋込ダクト型の室内機は、ケーシングの下面から室内の空気を吸い込む態様（以下、第１の態様という）と、ケーシングの背面から空気を吸い込む態様（以下、第２の態様という）とがある。特許文献１記載の室内機は、第１の態様と第２の態様とのいずれかを選択的に採用することが可能とされている。
【０００３】
また、特許文献１記載の室内機は、第１の態様と第２の態様とで、ケーシングの内部に配置される電気品箱を共用している。具体的に、電気品箱の一側面には点検口が形成されており、第１の態様（下面吸込）の場合には電気品箱の点検口をケーシングの内側に向けて配置し、吸込口から点検口を介して電気品箱内にアクセスできるようにし、第２の態様（背面吸込）の場合には、電気品箱を反転させて点検口をケーシングの外側に向けて配置し、ケーシング外部から点検口を介して電気品箱内にアクセスできるようにしている。
【先行技術文献】
【特許文献】
【０００４】
【特許文献１】特開２０００−２４９３６４号公報
【発明の概要】
【発明が解決しようとする課題】
【０００５】
この種の電気品箱には、電源線のような強電配線と、制御信号の通信等に用いられる弱電配線とが室内機のケーシングの外側から引き込まれる。強電配線と弱電配線とは、ノイズの影響を回避するために別々の場所から電気品箱に引き込まれることが推奨される。したがって、第１の態様と第２の態様とで電気品箱を反転させる場合、いずれの態様においても強電配線と弱電配線とを個別に引き込めるように構成する必要がある。
【０００６】
特許文献１記載の技術は、電気品箱に対して外部配線が一箇所から引き込まれており、強電配線及び弱電配線のような異なる種類の電気配線を外部から個別に引き込むことについては何ら考慮されていない。
【０００７】
本発明は、ケーシング内で電気品箱を反転させても、異なる種類の外部配線を個別に電気品箱内に引き込むことが可能な空気調和装置の室内機を提供することを目的とする。
【課題を解決するための手段】
【０００８】
（１）本発明は、送風ファンと電気品箱とが収容されるケーシングを備え、前記送風ファンによって空気が流通する流通口を前記ケーシングの底面に形成する第１の態様と、前記流通口を前記ケーシングの一側面に形成する第２の態様とを選択可能な室内機であって、
前記電気品箱は、点検口が形成された第１の側面を備え、かつ、前記第１の態様においては前記点検口を前記ケーシングの内側に向け、前記第２の態様においては前記点検口を前記ケーシングの外側に向けた状態で前記ケーシング内に配置され、
前記第１の側面に隣接し互いに対向する前記電気品箱の第２及び第３の側面には、それぞれ外部配線を前記電気品箱内に引き込むための第１の引込口が形成され、
前記ケーシングの他の側面には、前記第２の態様において前記点検口に対向する開口と、この開口の両側部に配置され、前記外部配線を前記ケーシング内に引き込むための第２の引込口とが形成されている。
【０００９】
この構成によれば、第１の態様と第２の態様との双方の場合において、第２の引込口を介してケーシング内に２種類の外部配線を個別にケーシング内に引き込むことができ、さらに各外部配線を第１の引込口を介して個別に電気品箱に引き込むことができる。
【００１０】
（２）前記第２及び第３の側面に形成された各第１の引込口には、強電配線と弱電配線とがそれぞれ個別に引き込まれてもよい。
このような構成によって、強電配線と弱電配線とが１つの引込口から引き込まれることに起因するノイズの影響を回避することができる。
【００１１】
（３）前記電気品箱内に、２つの端子台が前記第２の側面と前記第３の側面との対向方向に並べて配置されている場合、前記第２及び第３の側面に形成された２つの前記第１の引込口には、各端子台に接続される外部配線がそれぞれ個別に引き込まれてもよい。
このような構成によって、各端子台に接続される外部配線を、最も近い引込口から引き込むことができる。
【００１２】
（４）前記電気品箱の前記第２及び第３の側面には、それぞれ前記第１の引込口側から前記第１の側面へ向けて延び、前記外部配線を誘導する第１の誘導路と、前記第１の引込口側から前記第１の側面に対向する第４の側面へ向けて延び、前記外部配線を誘導する第２の誘導路とが形成されていることが好ましい。
このような構成によって、第１の態様と第２の態様のいずれにおいても第１の引込口への外部配線の引き込みを容易に行うことができる。
【００１３】
（５）前記ケーシングの内部には、前記電気品箱を係合させて支持するための支持部が形成され、前記電気品箱には、前記第１の態様において前記支持部に係合する第１の係合部と、前記第２の態様において前記支持部に係合する第２の係合部とが設けられていることが好ましい。
このような構成によって、第１の態様と第２の態様のいずれにおいても、同一の支持部に係合部を係合させ、電気品箱を支持することができる。
【００１４】
（６）前記電気品箱の底壁上には、前記外部配線を接続する端子台が設けられ、前記底壁が、一端側を支点として下方に揺動可能に設けられていることが好ましい。
このような構成により、第１の態様において、ケーシングの下面から電気品箱内を点検する場合に、電気品箱の底壁を開放してアクセスしやすくすることができる。
【発明の効果】
【００１５】
本発明は、ケーシング内で電気品箱を反転させても、異なる種類の外部配線を個別に電気品箱内に引き込むことができる。
【図面の簡単な説明】
【００１６】
【図１】本発明の一実施の形態に係る空気調和装置の室内機の内部を示す側面説明図である。
【図２】同室内機の内部を示す側面説明図である。
【図３】図１に示される室内機の内部を示す平面説明図である。
【図４】室内機のケーシングを概略的に示す斜視図である。
【図５】電気品箱を示す斜視図である。
【図６】第１の態様における図３のＡ矢視部に相当する図である。
【図７】第２の態様における図３のＡ矢視部に相当する図である。
【図８】ケーシングに形成された開口の正面図である。
【図９】ケーシング及び電気品箱への外部配線の引き込み状態を説明する図である。
【図１０】電気品箱の底壁を開放した状態を示す斜視図である。
【発明を実施するための形態】
【００１７】
以下、本発明の実施の形態について図面を参照して説明する。
図１及び図２は、本発明の一実施の形態に係る空気調和装置の室内機の内部を示す側面説明図、図３は、図１に示される室内機の内部を示す平面説明図、図４は、室内機のケーシングを概略的に示す斜視図である。
本実施の形態の室内機１０は、天井裏に設置され、天井７０に接続されたダクトを介して吸気及び排気を行う天井埋込ダクト型である。室内機１０は、ケーシング１１、送風ファン１２、熱交換器１３、及びドレンパン１４等を備えている。
【００１８】
ケーシング１１は、上下方向に扁平な直方体形状の箱体であり、天板１６と、この天板１６の下方に対向する底板１７と、天板１６及び底板１７の４辺に沿って設けられた側板１８〜２１とを有している。側板１８〜１９は、前側板１８と、この前側板１８の後方に対向する後側板（背面板）１９と、前側板１８及び後側板１９の左右各端部同士を接続する左側板２０及び右側板２１とを含む。
【００１９】
ケーシング１１の前側板１８には、空気の吹出口２３が形成されている。この吹出口２３には、吹出ダクト２４の一端が接続され、この吹出ダクト２４の他端（図示省略）は、天井７０に接続されている。吹出ダクト２４は、複数に分岐されていてもよい。
空気の吸込口（流通口）２６Ａ，２６Ｂは、図１に示すように、底板１７の後部側に形成される場合（第１の態様）と、図２に示すように、後側板１９に形成される場合（第２の態様）とがある。そして、本実施の形態の室内機１０は、いずれかの態様を選択して適用することが可能である。
【００２０】
図１に示す第１の態様では、底板１７に形成された吸込口２６Ａに吸込ダクト２７Ａの上端が接続され、吸込ダクト２７Ａの下端は天井７０の開口７１に接続される。図２に示す第２の態様では、後側板１９に形成された吸込口２６Ｂに吸込ダクト２７Ｂの一端が接続され、この吸込ダクト２７Ｂの他端（図示省略）が天井７０に接続される。
【００２１】
図１に示すように、第１の態様を選択した場合、吸込口２６Ｂは閉鎖板２８Ｂで閉鎖され、この閉鎖板２８Ｂが後側板１９の一部を構成する。
図２に示すように、第２の態様を選択した場合、吸込口２６Ａは閉鎖板２８Ａで閉鎖され、この閉鎖板２８Ａが底板１７の一部を構成する。なお、図４は、第１の態様を選択した場合において、吸込口２６Ａを開放し、吸込口２６Ｂを閉鎖板２８Ｂで閉鎖した状態を示す。
【００２２】
図１〜図３に示すように、ケーシング１１の内部には、左右方向に延びる仕切り板２９が前側板１８及び後側板１９と略平行に設けられている。この仕切り板２９は、ケーシング１１の内部を前後２つの領域３１，３２に区画する。仕切り板２９の前側の領域３１は、熱交換器１３が配置される熱交換室とされ、後側の領域３２は、送風ファン１２が配置される送風室とされている。
【００２３】
前述の吹出口２３は、熱交換室３１において開口し、吸込口２６Ａ，２６Ｂは、送風室３２において開口している。
【００２４】
送風ファン１２は、例えばシロッコファン等の多翼型ファンであり、モータ１２ａによって駆動される。送風ファン１２のケーシングは、仕切り板２９等に固定され、その吹出口１２ｂが熱交換室３１で開口している。
送風ファン１２は、室内機１０のケーシング１１外の空気を吸込口２６Ａ，２６Ｂを介してケーシング１１内に吸い込み、仕切り板２９の前方の熱交換室３１に流れる空気流を生成する。
【００２５】
送風ファン１２は、送風室３２内で左右方向一方側（右側）に偏倚して配置されている。そして、送風室３２内の左右方向他方側（左側）に電気品箱４０が配置されている。この電気品箱４０内には、制御基板や端子台等が収容され、ケーシング１１の内部及び外部から電気配線が引き込まれる。
【００２６】
図４に示すように、ケーシング１１の左側板２０には、ケーシング１１の外部から電気配線を引き込むための引込口３５Ａ，３５Ｂが前後に間隔をあけて２箇所に形成されている。また、２箇所の引込口３５Ａ，３５Ｂの間には、第２の態様において電気品箱４０へのアクセスを可能にするために用いられる開口３３が形成されている。この開口３３は、第１の態様では蓋体３４によって閉鎖される。この電気品箱４０の詳細な説明は後述する。
【００２７】
図１〜図３に示すように、熱交換器１３は、例えば、所定の間隔で並べられた多数のフィンと、このフィンを貫通する伝熱管とを含むクロスフィンタイプのフィンアンドチューブ型熱交換器とされている。そして、熱交換器１３は、送風ファン１２によって生成された空気流が通過し、その過程で伝熱管を流れる冷媒と空気との間で熱交換を行う。熱交換器１３は、上部側が前方に、下部側が後方に位置するように傾斜して配置されている。
【００２８】
空気調和装置は、この熱交換器１３を蒸発器として用いることで冷房運転が可能であり、凝縮器として用いることで暖房運転が可能である。
冷房運転中、熱交換器１３において発生した結露水は、熱交換器１３の下方に配置されたドレンパン１４によって受け止められる。
【００２９】
図３に示すように、熱交換器１３は、熱交換室３１内の左右方向一方側（右側）にやや偏倚して配置されている。熱交換室３１の左右他方側（左側）の領域３７には、熱交換器１３に接続される分流器やヘッダ等の配管群の他、ドレンポンプ、室内膨張弁、サーミスタ等の電気部品が配置されている。これらの電気部品の電気配線は、熱交換室３１から仕切り板２９を貫通して電気品箱４０に引き込まれる。また、送風ファン１２のモータ１２ａを駆動するための電気配線も電気品箱４０に引き込まれる。
【００３０】
＜電気品箱４０の具体的構成＞
図５に示すように、電気品箱４０は、上壁４５と、これに対向する底壁４６と、上壁４５及び底壁４６の４辺に沿った側壁４１〜４４とを有する略直方体（略６面体）により構成されている。電気品箱４０の一つの側壁４１（第１の側面）は、その外縁部の一部を除く略全体に点検口４８が形成されている。点検口４８は、固定ネジ等によって着脱可能に取り付けられる蓋体４９によって閉鎖される。したがって、この蓋体４９が、電気品箱４０の実質的な側壁を構成している。
【００３１】
以下の説明では、電気品箱４０において、点検口４８が形成された側壁４１を前側壁とし、その両側に隣接する側壁を左右側壁（第２，第３の側面）４２，４３とし、前側壁４１の後方に対向する側壁を後側壁（第４の側面）４４とする。
【００３２】
電気品箱４０の後側壁４４の内側には、制御基板５１が設けられている。電気品箱４０の上壁４５の内側にも制御基板５２が設けられている。これらの制御基板５１，５２は、室内機１０内の電気部品、例えば、送風ファン１２、ドレンポンプ、室内膨張弁等の動作を制御するためのものであり、各電気部品の電気配線が接続されている。各電気部品の電気配線は、電気品箱４０の後側壁４４に形成された孔を介して引き込まれる。
【００３３】
電気品箱４０の底壁４６上には、２つの端子台５５，５６が設けられている。この端子台５５，５６は、点検口４８から見て左右に並べて配置されている。一方の端子台５５は、電源線を含む強電配線を接続するためのものであり、他方の端子台５６は、制御信号の通信等に用いられる弱電配線を接続するためのものである。端子台５５，５６が取り付けられた底壁４６の上面は点検口４８側が低位となるように傾斜している。
【００３４】
点検口４８が形成された前側壁４１の両側に隣接する左右側壁４２，４３には、それぞれケーシング１１の外部から電気品箱４０内に強電配線及び弱電配線を引き込むための第１の引込口６１，６２が形成されている。左右の第１の引込口６１，６２は、同一径の円形状の孔とされている。また、第１の引込口６１，６２は、端子台５５，５６に近い、左右側壁４２，４３の下部側に配置されている。左右の第１の引込口６１，６２は、互いに対向する位置に配置されている。
【００３５】
強電配線は、強電配線用の端子台５５に最も近い第１の引込口６１から引き込まれる。一方、弱電配線は、弱電配線用の端子台５６に最も近い第１の引込口６２から引き込まれる。これにより、電気品箱４０内における強電配線及び弱電配線の取り回しを容易に行うことができる。
【００３６】
＜電気品箱４０の配置＞
前述したように、室内機１０は、吸込口２６Ａがケーシング１１の底板１７に形成される第１の態様（図１参照）と、吸込口２６Ｂがケーシング１１の後側板１９に形成される第２の態様（図２参照）とを選択的に採用することができる。そして、本実施の形態の電気品箱４０は、第１の態様においては点検口４８をケーシング１１の内側に向けた状態で配置され、第２の態様においては、点検口４８をケーシング１１の外側に向けた状態で配置される。すなわち、第１の態様と、第２の態様との間で電気品箱４０が反転される。
【００３７】
図６は、第１の態様における電気品箱４０の配置を示している。電気品箱４０の点検口４８は、ケーシング１１の内側に向けられている。点検口４８には蓋体４９が装着されている。そして、蓋体４９を取り外して点検口４８を開放することによって、ケーシング１１の底板１７に形成された吸込口２６Ａから電気品箱４０内にアクセスすることが可能となっている。ケーシング１１の左側壁２０に形成された開口３３は、蓋体３４によって塞がれている。
【００３８】
図７は、第２の態様における電気品箱４０の配置を示している。電気品箱４０の点検口４８は、ケーシング１１の外側に向けられている。そして、点検口４８は、ケーシング１１の左側板２０に形成された開口３３に対向するように配置される。
第１の態様を示す図６及び図４においては、開口３３は、蓋体３４によって塞がれていたが、第２の態様においては、点検口４８を塞ぐ蓋体４９が、同時に開口３３をも塞いでいる。つまり、蓋体３４と蓋体４９とは略同一の形状とされ、第２の態様においては、蓋体３４の代わりに蓋体４９が用いられている。ただし、これとは逆に、開口３３を塞ぐ蓋体３４が、同時に点検口４８を塞いでもよい。また、蓋体３４及び蓋体４９が、それぞれ開口３３及び点検口４８を塞いでもよい。
【００３９】
図８に示すように、開口３３の左右両側には、第２の引込口３５Ａ，３５Ｂが形成されている。この第２の引込口３５Ａ，３５Ｂは、開口３３の周縁において開放された凹部として構成されている。左右の第２の引込口３５Ａ，３５Ｂは、開口３３を中心として対称形状に形成されている。
【００４０】
一方、開口３３を閉鎖する蓋体３４（４９）の左右両縁には、第２の引込口３５Ａ，３５Ｂに対応する凹部３４ａ，３４ｂ（４９ａ，４９ｂ）が形成されている。そして、第２の引込口３５Ａ，３５Ｂと、凹部３４ａ，３４ｂ（４９ａ，４９ｂ）とによって、全周の閉じた孔が形成される。
【００４１】
ケーシング１１の第２の引込口３５Ａ，３５Ｂと、電気品箱４０の第１の引込口６１，６２とは、互いに重複する高さに設けられている。そして、ケーシング１１の第２の引込口３５Ａ，３５Ｂから引き込んだ電気配線を電気品箱４０の第１の引込口６１，６２に引き込むことができる。
【００４２】
図９（ａ）に示すように、第１の態様では、強電配線用の端子台５５は、図中左側に配置されているので、左側に位置する第２の引込口３５Ａからケーシング１１内に強電配線ｋが引き込まれ、さらに左側に位置する第１の引込口６１から電気品箱４０内に強電配線ｋが引き込まれる。したがって、強電配線用の端子台５５に最も近い経路で配線接続作業を行うことができる。
【００４３】
また、弱電配線用の端子台５６は、図中の右側に配置されているので、右側に位置する第２の引込口３５Ｂからケーシング１１内に弱電配線ｊが引き込まれ、さらに右側に位置する第１の引込口６２から電気品箱４０内に弱電配線ｊが引き込まれる。したがって、弱電配線用の端子台５６に最も近い経路で配線接続作業を行うことができる。
【００４４】
一方、図９（ｂ）に示すように、電気品箱４０を反転させた第２の態様では、強電配線用の端子台５５は、図中の右側に配置されているので、右側に位置する第２の引込口３５Ｂからケーシング１１内に強電配線ｋが引き込まれ、右側に位置する第１の引込口６１から電気品箱４０内に強電配線ｋが引き込まれる。したがって、第１の態様と同様に強電配線用の端子台５５に最も近い経路で配線接続作業を行うことができる。
【００４５】
また、弱電配線用の端子台５６は、図中の左側に配置されているので、左側に位置する第２の引込口３５Ａからケーシング１１内に弱電配線ｊが引き込まれ、さらに左側に位置する第１の引込口６２から電気品箱４０内に弱電配線ｊが引き込まれる。したがって、第１の態様と同様に弱電配線用の端子台５６に最も近い経路で配線接続作業を行うことができる。
【００４６】
以上により、第１の態様及び第２の態様のいずれにおいても強電配線ｋと弱電配線ｊとを個別に引き込むことができる。したがって、強電配線ｋと弱電配線ｊとを共通の引込口から引き込むことに起因するノイズの影響等を回避することができる。また、第１，第２のいずれの態様においても電気品箱４０内で強電配線ｋと弱電配線ｊとをクロスさせることなく端子台５５，５６に接続することができる。したがって、配線接続作業やメンテナンス作業の作業性を向上させることができる。
【００４７】
図５及び図９に示すように、電気品箱４０の左右の側壁４２，４３には、それぞれ第１の引込口６１，６２側から前側壁４１及び後側壁４４に向けて前後に延びる誘導路６４ａ，６４ｂ，６５ａ，６５ｂが形成されている。この誘導路６４ａ，６４ｂ，６５ａ，６５ｂは、凹状の溝により構成されている。また、誘導路６４ａ，６４ｂ，６５ａ，６５ｂは、第１の引込口６１，６２から離れるほど深くなるように溝底が傾斜面に形成されている。第１の引込口６１，６２の両側に配置された誘導路６４ａ、６４ｂ、６５ａ，６５ｂは、第１の引込口６１，６２を基準として略対称形状に形成されている。
【００４８】
蓋体３４，４９に形成された凹部３４ａ，３４ｂ，４９ａ，４９ｂは、誘導路６４ａ，６４ｂ，６５ａ，６５ｂの開放側の端縁に沿った形状に形成されている。
【００４９】
このような誘導路６４ａ，６４ｂ，６５ａ，６５ｂが形成されることによって、ケーシング１１の第２の引込口３５Ａ，３５Ｂから引き込んだ配線を電気品箱４０の第１の引込口６１，６２に好適に導くことができ、配線接続作業の作業性をより高めることができる。また、誘導路６４ａ，６４ｂ，６５ａ，６５ｂは、第１の引込口６１，６２を挟んで前後両側に形成されているので、第１の態様と第２の態様とのいずれにおいても第１の引込口６１，６２への引き込みを容易に行うことができる。
【００５０】
図６に示すように、電気品箱４０の底壁４６は、その後端部における左右両側に設けられた支持軸６８を介して上下揺動可能に設けられている。そして、図１０に示すように、底壁４６を下方に揺動させることによって、電気品箱４０を下方に開放することができる。
【００５１】
電気品箱４０の底壁４６は、通常は、上方へ揺動させた状態で図示しない固定ネジによって固定されている。そして、第１の態様において、吸込口２６Ａから電気品箱４０の点検を行う場合は、固定ネジを取り外して底壁４６を下方に揺動させることで、電気品箱４０の内部の視認性を高め、アクセスを容易にすることができる。また、底壁４６を下方に揺動させることによって、底壁４６に設けられた端子台５５，５６も大きく露出するため、端子台５５，５６に対する配線接続作業等の作業性を高めることができる。
【００５２】
図６及び図７に示すように、電気品箱４０の上壁４５の上面には、上方に突出する係合部６６ａ，６６ｂが前後に並べて設けられている。各係合部６６ａ，６６ｂは、図５に示すように左右方向に長く形成されている。また、ケーシング１１の天板１６の下面には、下方に突出する支持部６７が設けられている。
【００５３】
一方の係合部（第１の係合部）６６ｂは、第１の態様において支持部６７の前側に係合することによって、電気品箱４０の上部側が後方に倒れるのを防止することができる。他方の係合部（第２の係合部）６６ａは、第２の態様において支持部６７の前側に係合することによって、電気品箱４０の上部側が後方に倒れるのを防止することができる。したがって、第１及び第２の態様のいずれにおいても１つの支持部６７によって電気品箱４０を支持することができる。なお、係合部６６ａ，６６ｂは、必ずしも上壁４５に形成されていなくてもよく、左右の側壁４２，４３に形成されていてもよく、この場合は、側壁４２に対向するケーシング１１の内面に支持部６７が形成されていればよい。
【００５４】
本発明は、上記実施の形態に限定されることなく、特許請求の範囲に記載された発明の範囲内において、適宜変更できるものである。
例えば、電気品箱４０の左右側壁４２，４３に形成された第１の引込口６１，６２は、円形状に限らず、角形状等に形成することができる。また、２つの第１の引込口６１，６２は、互いに同一形状でなくてもよい。また、両第１の引込口６１，６２は、互いに対向せず、前後又は上下に位置がずれていてもよい。
【００５５】
また、第１の引込口６１，６２の前後両側に形成された誘導路６４ａ，６４ｂ，６５ａ，６５ｂの形状についても上記に限定されない。例えば、第１の引込口６１，６２の前側の誘導路６４ａ，６５ａと後側の誘導路６４ｂ，６５ｂとは、互いに溝幅、溝深さ、溝長さ等が異なる非対称な形状であってもよい。
【００５６】
室内機１０のケーシング１１に形成された第２の引込口３５Ａ，３５Ｂは、開口３３とは離れた位置に独立して形成されていてもよい。また、左右の第２の引込口３５Ａ，３５Ｂは、互いに対称形状に形成されていなくてもよく、その大きさ、上下の高さ、形状等が互いに異なっていてもよい。
【００５７】
上記実施の形態では、電気品箱４０の底壁４６が、その後端部側を支点として上下揺動自在に構成されていたが、左右端部、又は前端部側を支点として上下揺動自在に設けられていてもよい。ただし、上記実施の形態のように底壁４６がその後端部側を支点として上下揺動自在に構成されていることで、吸込口２６Ａから電気品箱４０内へのアクセスが一層容易となり、より好適である。
【００５８】
上記実施の形態では、２つの端子台５５，５６が強電配線用及び弱電配線用とされていたが、これに限定されるものではなく、異なる用途の２つの端子台５５，５６を備えていてもよい。
上記実施の形態では、送風ファン１２によって空気が流通する本発明の流通口が、空気の吸込口２６Ａ，２６Ｂである場合について説明したが、当該流通口は、空気の吹出口であってもよい。例えば、送風ファン１２による空気の流れを逆にし、吹出口２３を吸込口とし、吸込口２６Ａ，２６Ｂを吹出口としたものであってもよい。
【符号の説明】
【００５９】
１０      ：室内機
１１      ：ケーシング
１２      ：送風ファン
２６Ａ    ：吸込口（流通口）
２６Ｂ    ：吸込口（流通口）
３３      ：開口
３５Ａ    ：第２の引込口
３５Ｂ    ：第２の引込口
４０      ：電気品箱
４１      ：前側壁（第１の側面）
４２      ：左側壁（第２の側面）
４３      ：右側壁（第３の側面）
４４      ：後側壁（第４の側面）
４６      ：底壁
４８      ：点検口
５５      ：端子台
５６      ：端子台
６１      ：第１の引込口
６２      ：第１の引込口
６４ａ    ：誘導路
６４ｂ    ：誘導路
６５ａ    ：誘導路
６５ｂ    ：誘導路
６６ａ    ：係合部
６６ｂ    ：係合部
６７      ：支持部
ｊ        ：弱電配線
ｋ        ：強電配線
【図１】
0006020543.tif 000002
【図３】
0006020543.tif 000003
【図４】
0006020543.tif 000004
【図５】
0006020543.tif 000005
【図６】
0006020543.tif 000006
【図８】
0006020543.tif 000007
【図９】
0006020543.tif 000008
【図１０】
0006020543.tif 000009
【図２】
0006020543.tif 000010
【図７】
0006020543.tif 000011